(57)【要約】　　　（修正有）【課題】簡単な構成で、ＰＣを実質的に移動することが出来ないようにして、盗難防止の効果を図ること出来るＬＡＮケーブル用コネクタのロック組体を提供することである。【解決手段】この考案に係わるＬＡＮケーブル用コネクタのロック組体１０は、複数のＬＡＮケーブル１００の先端に一体的に取り付けられ、抜き取り可能にコンピュータ１０２の複数の差込口１０４に挿入されて、その挿入状態をラッチされるＬＡＮケーブル用コネクタ１０６に着脱自在に取り付けられ、取り付けられた状態において、ＬＡＮケーブル用コネクタ１０６の差込口１０４への挿入状態をロックし、取り外された状態において、ＬＡＮケーブル用コネクタ１０６を差込口１０４から抜き取り可能とすることを特徴としている。【選択図】図２
0003100132.tif 000002
【実用新案登録請求の範囲】
【請求項１】
　ＬＡＮケーブルの先端に一体的に取り付けられ、抜き取り可能な状態でイントラネットを構成するハブの複数の差込口に挿入され、その挿入状態がラッチされる複数のＬＡＮケーブル用コネクタに着脱自在に取り付けられ、取り付けられた状態においては前記ＬＡＮケーブル用コネクタの前記差込口への夫々の挿入状態をロックし、取り外された状態においては前記ＬＡＮケーブルコネクタを前記差込口から夫々の抜き取り可能とするロック組体であって、
　上下方向に分離可能に設けられ、組み付けられた状態で前記ＬＡＮケーブル用コネクタの上下の面を、実質的に固着する状態で挟み込むようになされた第１及び第２の囲繞体と、
　前記第１の囲繞体に設けられ、前記コネクタに対して軸方向に沿う移動を係止する係止手段と、
　前記第２の囲繞体に設けられ、前記ＬＡＮケーブル用コネクタに備えられたラッチ用フラッパのラッチ解除方向の動きを規制する規制手段と、
を具備することを特徴とするＬＡＮケーブル用コネクタのロック組体。
【請求項２】
　前記第１の囲繞体が、前記ＬＡＮケーブル用コネクタの前記ラッチ用フラッパが設けられた面を覆うように形成され、前記第２の囲繞体が、前記ラッチ用フラッパが設けられた面とは反対の面を覆うように形成されていることを特徴とする請求項１に記載のＬＡＮケーブル用コネクタのロック組体。
【請求項３】
　前記係止手段は、前記コネクタの前記ラッチ用フラッパが設けられた面とは反対側の面に形成された溝に係止される係止用突起を備えることを特徴とする請求項１に記載のＬＡＮケーブル用コネクタのロック組体。
【請求項４】
　前記規制手段は、前記第１の囲繞体及び前記第２の囲繞体が前記コネクタの上下を挟むように組み付けられた状態で、前記第２の囲繞体から前記ラッチ用フラッパの根元付近まで延出し、該ラッチ用フラッパの押し込み方向の偏倚を規制する突出片を備えることを特徴とする請求項１に記載のＬＡＮケーブル用コネクタのロック組体。
【請求項５】
　　前記第１及び第２の囲繞体は、錠前により、互いに分離不能に連結され、錠前が開錠されることにより、互いに分離可能となることを特徴とする請求項１に記載のＬＡＮケーブル用コネクタのロック組体。
【考案の詳細な説明】
【技術分野】
【０００１】　本考案は、ＬＡＮケーブルの先端に一体的に取り付けられ、イントラネットを構成するハブ等の差込口に抜き差し自在に設けられたコネクタを利用して、コンピュータの盗難を防止するためのＬＡＮケーブル用コネクタのロック組体に関する。
【背景技術】
【０００２】　従来から、コンピュータ（以下、単にＰＣと呼ぶ。）の盗難防止のために、ＰＣをワイヤー等の連結具で固定部材（例えば、机等）に連結させて、その設置位置に止め置かせる技術は知られており実用に供されている。しかしながら、上述した連結具を用いる場合、現在販売中のＰＣでは連結具を通す穴が形成されておらず、そのため、ＰＣの表面に連結具を通すための穴が形成されたフック部材を接着しなければならないものであった。このように、フック部材を一旦ＰＣの表面に接着してしまうと、これを取り外すことが極めて困難となり、これを無理やり取り外そうとすると、ＰＣの筐体を破損する虞もあり、改善が要望されていた。そこで、本願考案者は、実願２００３−２７０４３７において、ＰＣの筐体に何ら別部材をつけることなく、このＰＣをその設置場所に止め置かせて、盗難防止の効果を奏することの出来るＬＡＮケーブル用コネクタのロック組体を既に提案した。このロック組体は、ＰＣに一箇所設けられているＬＡＮケーブル用差込口に、ＬＡＮケーブルのコネクタ付近に装着された状態で差し込まれ、ＬＡＮケーブルとＰＣとの接続を抜き取り不可とするものであった。
【考案の開示】
【考案が解決しようとする課題】
【０００３】　しかし、上述のロック組体は、ハブを介してサーバーに複数のＰＣが接続されるイントラネット構成などの場合、ハブに接続されたＬＡＮケーブルを抜くことにより、そのＬＡＮケーブルに接続されたＰＣが上述のロック組体でＰＣとＬＡＮケーブルの接続状態がロックされていても、ＰＣとＬＡＮケーブルを一体で持ち出せることが可能になってしまう。そのため、イントラネット構成では、上述のロック組体のみでは、ＰＣをその設置場所に止め置かせて、盗難防止の効果を持たせるには不十分であった。【０００４】　さらに、ハブに接続されたＬＡＮケーブルを故意または誤って抜いたり、異なるＬＡＮケーブルを故意または誤って差込むことで発生する、イントラネットのシステム障害等のトラブルを防止することも不十分であった。
【課題を解決するための手段】
【０００５】　この考案の目的は、上述した事情に鑑みなされたもので、この考案の主たる目的は、ハブを介してサーバーに複数のＰＣが接続されるイントラネット構成などの場合にも、ＰＣを実質的に移動することが出来ないようにして、盗難防止やＬＡＮケーブルの抜き差しによるトラブル防止の効果を図ることの出来るＬＡＮケーブル用コネクタのロック組体を提供することである。【０００６】　また、この考案の他の目的は、複数のＬＡＮケーブル用コネクタに対しハブの複数の差込口への挿入状態をロックすることにより、ハブからＬＡＮケーブルを抜けない状態とすることによりＬＡＮケーブルに接続されているＰＣを移動することが出来ないようにして、盗難防止の効果を奏することの出来るＬＡＮケーブル用コネクタのロック組体を提供することである。【０００７】　上述した課題を解決し、目的を達成するため、この考案に係わるＬＡＮケーブル用コネクタのロック組体は、請求項１の記載によれば、ＬＡＮケーブルの先端に一体的に取り付けられ、抜き取り可能な状態でイントラネットを構成するハブの複数の差込口に挿入され、その挿入状態がラッチされる複数のＬＡＮケーブル用コネクタに着脱自在に取り付けられ、取り付けられた状態においては前記ＬＡＮケーブル用コネクタの前記差込口への夫々の挿入状態をロックし、取り外された状態においては前記ＬＡＮケーブルコネクタを前記差込口から夫々の抜き取り可能とするロック組体であって、上下方向に分離可能に設けられ、組み付けられた状態で前記ＬＡＮケーブル用コネクタの上下の面を、実質的に固着する状態で挟み込むようになされた第１及び第２の囲繞体と、前記第１の囲繞体に設けられ、前記コネクタに対して軸方向に沿う移動を係止する係止手段と、前記第２の囲繞体に設けられ、前記ＬＡＮケーブル用コネクタに備えられたラッチ用フラッパのラッチ解除方向の動きを規制する規制手段と、を具備することを特徴とする。【０００８】　上述した課題を解決し、目的を達成するため、この考案に係わるＬＡＮケーブル用コネクタのロック組体は、請求項２記載によれば、前記第１の囲繞体が、前記ラッチ用フラッパが設けられた面を覆うように形成され、前記第２の囲繞体が、前記ラッチ用フラッパが設けられた面とは反対の面を覆うように形成されていることを特徴とする。【０００９】　上述した課題を解決し、目的を達成するため、この考案に係わるＬＡＮケーブル用コネクタのロック組体は、請求項３の記載によれば、前記係止手段は、前記ＬＡＮケーブル用コネクタの前記ラッチ用フラッパが設けられた面とは反対側の面に形成された溝に係止される係止用突起を備えることを特徴とする。【００１０】　　上述した課題を解決し、目的を達成するため、この考案に係わるＬＡＮケーブル用コネクタのロック組体は、請求項４の記載によれば、前記規制手段は、前記第１及び第２の囲繞体が前記コネクタの上下を挟むように組み付けられた状態で、前記第２の囲繞体から前記ラッチ用フラッパの根元付近まで延出し、該ラッチ用フラッパの押し込み方向の偏倚を規制する突出片を備えることを特徴とする。【００１１】　上述した課題を解決し、目的を達成するため、この発明に係わるＬＡＮケーブル用コネクタのロック組体は、請求項５の記載によれば、前記第１及び第２の囲繞体は、錠前により、互いに分離不能に連結され、錠前が開錠されることにより、互いに分離可能となることを特徴とする。
【考案の効果】
【００１２】　この考案のＬＡＮケーブル用コネクタのロック組体によれば、ハブを介してサーバーに複数のＰＣが接続されるイントラネット構成などの場合にも、ＰＣを実質的に移動することが出来ないようにして、盗難防止の効果を図ることが出来る。【００１３】　また、この考案のＬＡＮケーブル用コネクタのロック組体によれば、複数のＬＡＮケーブル用コネクタに対しハブの複数の差込口への挿入状態をロックすることにより、ハブからＬＡＮケーブルを抜けない状態とし、したがってＬＡＮケーブルに接続されているＰＣを移動することが出来ないようにして、盗難防止の効果を奏することの出来きる。【００１４】　また、ハブに接続されたＬＡＮケーブルを故意または誤って抜いたり、異なるＬＡＮケーブルを故意または誤って差込むことにより発生するイントラネットのシステム障害を防止することが出来る。
【考案を実施するための最良の形態】
【００１５】　以下、本考案に係わるＬＡＮケーブル用コネクタのロック組体の一実施例について添付図面を用いて詳細に説明する。【００１６】　図１は本考案になるロック組体の組み上げられた状態を示す斜視図、図２は本考案になるロック組体が組み上げられ、コネクタが差込口へ挿入された状態でロックされる様子を示す断面図である。【００１７】　図１、図２に示すように、ＬＡＮケーブル用コネクタのロック組体（以下、単にロック組体と呼ぶ）１０は、第１の囲繞体１２と第２の囲繞体１４とから構成される。さらに、ロック組体１０は、ＬＡＮケーブル用コネクタ（以下、単にコネクタと呼ぶ。）１０６に取り付けられ、コネクタ１０６がイントラネットを構成するハブの差込口１０４に挿入される状態をロックし或は解除するよう取り付けられている。【００１８】　すなわち、このロック組体１０は、コネクタ１０６に取り付けられた状態では、錠前１０８及び１０９の旋錠によりコネクタ１０６が差込口１０４へ挿入された状態でロックされる。また、ロック組体１０は、錠前１０８及び１０９の開錠によりコネクタ１０６から取り外され、コネクタ１０６を差込口１０４からの抜き取りを可能とする。このようにロック組体１０は、コネクタ１０６の差込口１０４への挿入状態をロックすることにより、ハブからコネクタ１０６が抜けない状態とし、ＰＣの盗難を防止することができるようになされている。【００１９】　まず、図１について詳細に説明する。第２の囲繞体１４は、第１の囲繞体１２の上部内側に重なるように設けられている。第１の囲繞体１２においては、底部１２Ａの両端部に第１の起立片１２Ｂ、第２の起立片１２Ｃが立ち上がっている。この第１の起立片１２Ｂ、第２の起立片１２Ｃの内側に、第２の囲繞体１４の本体１４Ａの両端部から立ち上がっている第１の起立片１４Ｂと第２の起立片１４Ｃがそれぞれ重なり合うように構成されている。また、第１の囲繞体１２のロック穴１２Ｆが第２の囲繞体１４のロック穴１４Ｆとが重なりロック竿１０８Ａの挿通により錠前１０８が、第１の囲繞体１２のロック穴１２Ｇが第２の囲繞体１４のロック穴１４Ｇとが重なりロック竿１０９Ａの挿通により錠前１０９が、それぞれ旋錠可能となる。【００２０】　次に図２について詳細に説明する。図２は、ロック組体１０を構成する第１の囲繞体１２及び第２の囲繞体１４がコネクタ１０６に取り付けられた状態を、起立片１２Ｃから見た断面図として示した図である。錠前１０９の旋錠によりコネクタ１０６は差込口１０４へ挿入されたままロックされる。すなわち、コネクタ１０６が、差込口１０４に挿入された状態で、第１の囲繞体１２の底部１２Ａがコネクタｌ０６の底部１０６Ｂに接触するように取り付けられる。この場合、第１の囲繞体１２の第３の起立片１２Ｄに設けられている係止用凹部１６は、コネクタ１０６の根元の溝部１０６Ｃに食い込む状態となっている。さらに、第２の囲繞体１４の突出片１４Ｅは、コネクタ１０６が差込口１０４に挿入されている状態でコネクタ１０６の上面１０６Ａに接触し沿うようにラッチ用フラッパ１１０の下に挿入されている。この状態で、図２に示すように、ロック組体１０を構成する第１の囲繞体１２及び第２の囲繞体１４は、錠前１０９の旋錠によりコネクタ１０６が差込口１０４へ挿入されたままロックされることになる。第１の囲繞体１２の第３の起立片１２Ｄに設けられている係止用凹部１６は、図１に示すように例えば５個の凹部を有する。また、第２の囲繞体１４の突出片１４Ｅは、図１に示すように例えば５個の突出部を有する。この５個の突出部により５本のＬＡＮケーブルのコネクタ１０６を５個の差込口１０４で同時にロックすることが可能となる。【００２１】　　次に、第１の囲繞体１２の形状の詳細を示す。図３は、第１の囲繞体１２の正面図である。第１の囲繞体１２は、コネクタ１０６の底面１０６Ｂが接触する底部１２Ａと、この底部１２Ａの軸方向に沿う一方の側縁から起立した第１の起立片１２Ｂ及び他方の側縁から起立した第２の起立片１２Ｃと、この底部１２Ａの軸方向に直行する方向に沿う後縁から起立した第３の起立片１２Ｄとから一体的に形成されている。【００２２】　また、図３に示すように、第１の起立片１２Ｂ及び他方の側縁から起立した第２の起立片１２Ｃは同じ高さ及び幅を有し、第１の起立片１２Ｂには錠前１０８のロック竿１０８Ａを挿通するロック穴１２Ｆが、第２の起立片１２Ｃには錠前１０９のロック竿１０９Ａを挿通するロック穴１２Ｇが形成されている。【００２３】　また、上述した第３の起立片１２Ｄには、係止用凹部１６が設けられている。すなわち、この係止用凹部１６は、図２に示すように、ロック組体１０がコネクタ１０６に組み付けられた状態で、コネクタ１０６の後方部位に多数形成された溝部１０６Ｃの一つに嵌まり込み係止可能とするものである。この係止された状態で、第１の囲繞体１２（従って、ロック組体１０全体）の軸方向に沿う移動が禁止されるようになされている。係止用凹部１６には例えば５個の係止用凹部が設けられており５本までのＬＡＮケーブルに対応出来るものである。【００２４】　図４は、第１の囲繞体１２の側面図である。第１の起立片１２Ｂには錠前１０８のロック竿１０８Ａを挿通するロック穴１２Ｆが形成されている。また係止用凹部１６は、第１の起立片１２Ｂに沿うように立ち上がっている。【００２５】　図５は、第１の囲繞体１２の平面図である。底部１２Ａの両端に第１の起立片１２Ｂ及び第２の起立片１２Ｃが設けられている。また、係止用凹部が設けられている第３の起立片１２Ｄが、第１の起立片１２Ｂ及び第２の起立片１２Ｃを結ぶ一辺に設けられている。【００２６】　次に、第２の囲繞体１４の形状の詳細を示す。図６は第２の囲繞体１４の平面図である。第２の囲繞体１４は、板状の本体１４Ａと、この本体１４Ａの軸方向に沿う一方の側縁から起立した第１の起立片１４Ｂ及び他方の側縁から起立した第２の起立片１４Ｃと、この本体１４Ａの前縁から前方に突出する突出片１４Ｅとから一体的に形成されている。尚、この突出片１４Ｅは例えば５個の突起からなっている。これは、５本までのＬＡＮケーブルに対応出来るものである。【００２７】　図７は第２の囲繞体１４の側面図である。第１の起立片１４Ｂには錠前１０９のロック竿１０９Ａを挿通するロック穴１２Ｆが形成されている。また突起片１４が、第１の起立片１４Ｂの底部の本体１４Ａの一部となり突き出している。【００２８】　図８は第２の囲繞体１４の正面図である。第１の起立片１４Ｂ及び他方の側縁から起立した第２の起立片１４Ｃは同じ高さ及び幅を有する。第１の起立片１４Ｂには錠前１０８のロック竿１０８Ａを挿通するロック穴１４Ｆが、第２の起立片１４Ｃには錠前１０９のロック竿１０９Ａを挿通するロック穴１４Ｇが形成されている【００２９】　以下に、第１の囲繞体１２と第２の囲繞体１４を互いに組み立てる手順について図９を参照して説明する。【００３０】　図９は第１の囲繞体１２と第２の囲繞体１４を互いに組み立てた時の正面図である。第１の囲繞体１２は、上方から組み付けられた第２の囲繞体１４と各々の起立片が一部重なるように組み立てられる。すなわち、第１の囲繞体１２の第１の起立片１２Ｂのロック穴１２Ｆと第２の囲繞体１４の第１の起立片１４Ｂのロック穴１４Ｆが同じ位置となるように、また、第１の囲繞体１２の第２の起立片１２Ｃのロック穴１２Ｇと第２の囲繞体１４の第２の起立片１４Ｃのロック穴１４Ｇが同じ位置となるように組み立てられる。【００３１】　この後、コネクタ１０６が、差込口１０４に挿入された状態で、第１の囲繞体１２の底部１２Ａがコネクタ１０６の底部１０６Ｂに接触するように、第１の囲繞体１２の第１の起立片１２Ｂ及び第２の起立片１２Ｃがコネクタ１０６の上方に位置するように構成される。この場合、第１の囲繞体１２の第３の起立片１２Ｄに設けられている係止用凹部１６は、コネクタ１０６の根元の溝部１０６Ｃに食い込む状態となる。さらに、第２の囲繞体１４の突出片１４Ｅは、コネクタ１０６が差込口１０４に挿入されている状態でコネクタ１０６の上面１０６Ａに接触し沿うようにラッチ用フラッパ１１０の下に挿入される。この状態で、ロック組体１０を構成する第１の囲繞体１２及び第２の囲繞体１４は図９に示すような構成になり、錠前１０８及び１０９の旋錠によりコネクタ１０６が差込口１０４へ挿入されたままロックされる。【００３２】　尚、図１０及び図１１を参照して、通常の状態における（即ち、この実施例のロック用組体１０を用いていない状態における）コネクタ１０６の複数の差込口１０４への挿入動作を説明する。【００３３】　図１０はコネクタ１０６と差込口１０４の断面図である。先ず、コネクタ１０６の上面１０６Ａには、弾性的に押し込み偏倚自在にフラッパ１１０が取り付けられており、詳細には、図１０に示すように、これの先端が、コネクタ１０６の上面１０６Ａの前端縁に一体的に取り付けられている。【００３４】　ここで、フラッパ１１０は、その基端部１１０Ａが幅広に設定されており、この基端部１１０Ａに引き続く先端部１１０Ｂは、基端部１１０Ａよりも幅狭に設定されている。即ち、フラッパ１１０は、幅方向に関して２段構造を呈しており、略中ほどで、段差が形成されているものである。【００３５】　図１１は、複数の差込口を示す斜視図である。差込口１０４は、図１１に示すように、開口部の上縁には、フラッパ１１０の幅広の基端部１１０Ａが挿通可能な第１の溝部１０４Ａが形成されており、この第１の溝部１０４Ａの上底面には、フラッパ１００の幅広の基端部１１０Ａが挿通不能で、幅狭の先端部１１０Ｂのみが挿通可能な第２の溝部１０４Ｂが形成されている。尚、第２の溝部１０４Ｂの軸方向に沿う厚さは薄く設定され、所謂係止用の肩部が規定されている。【００３６】　差込口１０４は、このような構造を呈しているので、再び図１０に示すように、コネクタ１０６が差込口１０４に挿入されてくると、フラッパ１１０の幅広の基端部１１０Ａは、第１の溝部１０４Ａを通り抜けながら、これの上底面で徐々に押し下げられることになる。そして、フラッパ１１０の先端部１１０Ｂに移行する段差部が、上述した肩部を通過した時点で、幅狭の先端部１１０Ｂが自身の弾性力により第２の溝部１０４Ｂ内に落ち込むように入り込むこととなり、これにより、フラッパ１１０の段差部が差込口１０４の肩部に係止されることになる。このような段差部と肩部との係止関係により、コネクタ１０６の差込口１０４への差込状態が、抜き取り不能にロックされることになる。【００３７】　一方、この差込状態から、コネクタ１０６を抜き取る際には、フラッパ１１０を自身の弾性力に抗して押し下げる。この押し下げにより、上述した段差部と肩部との間の係止状態が解除され、コネクタ１０６は差込口１０４から抜き出させられる状態となる。即ち、コネクタ１０６の差込口１０４へのラッチ状態が解除されることになる。この解除状態で、コネクタ１０６を差込口１０４から引き抜くことにより、コネクタ１０６は差込口１０４から引き出されることになる。【００３８】　このように構成されたコネクタ１０６及び差込口１０４の構成において、この実施例のロック用組体１０を用いることにより、組み付けられたロック用組体１０の第２の囲繞体１４に一体的に形成された突出片１４Ｅが、フラッパ１１０の押し下げ移動を邪魔することとなり、これにより、フラッパ１１０の押し下げによるラッチの解除が阻止されることになる。この結果、コネクタ１０６は差込口１０４に差し込まれた状態を維持（即ち、ロック）されることとなり、コネクタ１０６の差込口１０４からの抜き取りが確実に禁止されることになる。【００３９】　以上詳述したように、この実施例に係わるロック用組体１０を用いて、ハブ１０２の差込口１０４に差し込まれているコネクタ１０６の、該差込口１０４への差込状態をロックすることにより、ハブ１０２にＬＡＮケーブル１００を効果的にロックすることができる効果を奏することができるものである。これにより、安易にＰＣを他の場所に移動させることを含めて、盗難から有効に防止することができるものである。即ち、この実施例においては、従来のロック用のワイヤー等の連結具を用いて、ＰＣをその設置場所に止め置くようにしていたことと比較して、ＰＣの筐体に何ら別部材を接着することなく、ハブ１０２に既に連結されているコネクタ１０６の抜き取りをロック（禁止）することによりＰＣの、盗難防止の効果を奏することができるものであり、その有用性はきわめて高いものである。【００４０】　特に、この実施例に係わるロック用組体１０を用いる状態において、ＰＣ１０２を持ち去ろう（その設置場所から強制的に移動させよう）とする者は、ＬＡＮケーブル１００を切断するしか手段がなくなるものである。しかし、ひとたびこのＬＡＮケーブル１００が切断されると、例えば、金属製のカッタ刃がＬＡＮケーブル１００内のコードに接触してショートする状態となり、このショート現象が、ＬＡＮケーブル１００が接続される相手側であるサーバにより検知されて、このサーバにおいて、ＬＡＮケーブル１００の意図しない切断が認識されえる状態となるものである。また、例えショート現象が検知されない場合においても、切断された後のＬＡＮケーブル１００においては、コードがオープン状態となるものであり、このオープン状態がサーバにより検知されて、同様に、このサーバにおいて、ＬＡＮケーブル１００の意図しない切断が認識される状態となるものである。【００４１】　即ち、この実施例のロック用組体１０を用いることにより、ＰＣ１０２の盗難を防止することのみならず、仮に盗難された場合において、即座にその盗難された事実を検知することが出来、これにより所謂セキュリティーの向上を図ることができるものである。【００４２】　この考案は、上述した実施例の構成に限定されることなく、この考案の要旨を逸脱しない範囲で種々の変形可能であることは言うまでもない。【００４３】　例えば、上述の実施例では錠前を２個使用する場合につき説明したが、この構成に限ることはなく、第１の囲繞体、第２の囲繞体の形状を工夫することにより錠前を１個とすることが可能であることは言うまでもない。【００４４】　例えば、上述の実施例ではＰＣの差込口の数、ＬＡＮケーブルの数がそれぞれ５個の場合について説明したが、この数に限定されるものではないことは言うまでもない。
【図面の簡単な説明】
【００４５】
【図１】この考案に係わるロック用組体の組み上げられた状態を示す斜視図である。
【図２】図１に示すロック用組体が組み付けられ、コネクタの差込口への挿入状態がロックされた状態を示す断面図である。
【図３】図１に示すロック用組体を構成する第１の囲繞体を示す正面図である。
【図４】図３に示す第１の囲繞体の側面図である。
【図５】図３に示す第１の囲繞体の平面図である。
【図６】図１に示すロック用組体を構成する第２の囲繞体を示す平面図である。
【図７】図６に示す第２の囲繞体の側面図である。
【図８】図６に示す第２の囲繞体の正面図である。
【図９】第１の囲繞体に第２の囲繞体を組み込む直前の状態を示す正面図である。
【図１０】コネクタの差込口への挿入動作を示す断面図である。
【図１１】図１０に示す差込口の構成を取り出して示す斜視図である。
【符号の説明】
【００４６】１０　　ロック用組体
１２　　第１の囲繞体
　１２Ａ　　底部
　１２Ｂ　　第１の起立片
　１２Ｃ　　第２の起立片
　１２Ｄ　　第３の起立片
　１２Ｆ　　ロック穴
　１２Ｇ　　ロック穴
１４　　第２の囲繞体
　１４Ａ　　本体
　１４Ｂ　　第１の起立片
　１４Ｃ　　第２の起立
　１４Ｅ　　突出片
　１４Ｆ　　ロック穴
　１４Ｇ　　ロック穴
１６　　係止用凹部（第３の起立片１２Ｄ）
１００　　ＬＡＮケーブル
１０２　　ハブ
１０４　　差込口
　１０４Ａ　　第１の溝部
　１０４Ｂ　　第２の溝部
１０６　　ＬＡＮケーブル用コネクタ（コネクタ）
　１０６Ａ　　上面
　１０６Ｂ　　底面
　１０６Ｃ　　溝部
１０８　　錠前
１０９　　錠前
　１０８Ａ　　ロック竿
　１０９Ａ　　ロック竿
１１０　　ラッチ用フラッパ
　１１０Ａ　　幅広の基端部
　１１０Ｂ　　幅狭の先端部
【図１】
0003100132.tif 000003
【図２】
0003100132.tif 000004
【図３】
0003100132.tif 000005
【図４】
0003100132.tif 000006
【図５】
0003100132.tif 000007
【図６】
0003100132.tif 000008
【図７】
0003100132.tif 000009
【図８】
0003100132.tif 000010
【図９】
0003100132.tif 000011
【図１０】
0003100132.tif 000012
【図１１】
0003100132.tif 000013